(57)【要約】      （修正有）【課題】眼鏡を首の周りに着用することを可能にし、眼鏡が外部物体に衝突する危険性を制限する眼鏡の伸張部キットを提供する。【解決手段】眼鏡２用の伸長部１キットが、一対の伸長部１を具備しており、眼鏡２のそれぞれのテンプル先端部４２に固定されるように構成される。各伸張部１は、一対の眼鏡２のそれぞれのテンプル先端部４２に固定可能である、第１の構成部分５３と、第１の構成部分５３に対して傾斜する、第２の構成部分５４と、を有する、本体５を具備する。第１の構成部分５３が、それぞれのテンプル先端部４２に取り付けられる場合に、第２の構成部分５４は、収束する方向Ｔにおいて、それぞれのテンプル先端部４２から突き出る。このようにして、第２の構成部分５４は、使用者の首に寄り掛かり、鎖を使用せずに首に眼鏡を支持することができる。【選択図】図１
0003213936.tif 000002
【実用新案登録請求の範囲】
【請求項１】
一対の伸長部（１）を具備する、眼鏡（２）用の伸長部（１）キットであって、
各伸長部が、眼鏡（２）のそれぞれのテンプル先端部（４２）に固定されるように構成されており、各伸張部（１）が、
眼鏡（２）のそれぞれのテンプル先端部（４２）に固定されるように適合された、第１の構成部分（５３）と、
前記第１の構成部分（５３）に対して傾斜し且つそれぞれの支配的展開方向（Ｔ）に沿って延びる、第２の構成部分（５４）と、を有する、本体（５）を具備する、眼鏡（２）用の伸長部（１）キットにおいて、
該第１の構成部分（５３）各々が、前記それぞれのテンプル先端部（４２）に接続する場合に、該第２の構成部分（５４）は、前記それぞれのテンプル先端部（４２）から突き出ており、更に該第２の構成部分（５４）の該支配的展開方向（Ｔ）は、前記第２の構成部分（５４）が使用者の首に寄り掛かることができるように収束する、ことを特徴とする眼鏡（２）用の伸長部（１）キット。
【請求項２】
各伸張部（１）の前記第１の構成部分（５３）が、前記それぞれのテンプル先端部（４２）を可逆的に受容するように構成された、空洞（５５）を有する、ことを特徴とする請求項１に記載の眼鏡（２）用の伸長部（１）キット。
【請求項３】
各伸張部（１）は、前記それぞれのテンプル先端部（４２）の挿入の間に、空気が前記空洞（５５）を出ることを可能にするための穴（１１）を有する、ことを特徴とする請求項２に記載の眼鏡（２）用の伸長部（１）キット。
【請求項４】
各伸張部（１）の前記本体（５）は、第１の端部（５１）と第２の端部（５２）との間において延びており、更に前記それぞれのテンプル先端部（４２）を前記空洞（５５）内に挿入することを可能にするために前記それぞれのテンプル先端部（４２）により通過させられるように適合された、前記第１の端部（５１）における開口（５６）を有する、ことを特徴とする請求項２又は３に記載の眼鏡（２）用の伸長部（１）キット。
【請求項５】
該開口（５６）及び／又は該空洞（５５）は、前記それぞれのテンプル先端部（４２）を前記空洞（５５）内に挿入し且つ保持することを可能にするために、弾性的に変形可能である、ことを特徴とする請求項４に記載の眼鏡（２）用の伸長部（１）キット。
【請求項６】
各伸張部（１）の前記開口（５６）は、楕円形状を有する、ことを特徴とする請求項４又は５に記載の眼鏡（２）用の伸長部（１）キット。
【請求項７】
各伸張部（１）の前記開口（５６）の寸法は、前記空洞（５５）の第１の部分（５８）の横断面寸法よりも小さい、ことを特徴とする請求項４〜６のいずれか一項に記載の眼鏡（２）用の伸長部（１）キット。
【請求項８】
各空洞（５５）は、前記開口（５６）に対向する底部（５７）と、該底部（５７）上に設置された、第２の部分（５９）と、を有しており、
各開口（５６）の寸法は、前記空洞（５５）の前記第２の部分（５９）の横断面寸法に等しい、ことを特徴とする請求項７に記載の眼鏡（２）用の伸長部（１）キット。
【請求項９】
各伸張部（１）の前記本体（５）は、エラストマー材料により製作される、ことを特徴とする請求項１〜８のいずれか一項に記載の眼鏡（２）用の伸長部（１）キット。
【請求項１０】
各第２の構成部分（５４）は、２ｃｍ〜８ｃｍの間の範囲、好適には３ｃｍに等しい範囲を有する、ことを特徴とする請求項１〜９のいずれか一項に記載の眼鏡（２）用の伸長部（１）キット。
【請求項１１】
眼鏡（２）であって、
フレーム前部（３）と、
一対のテンプル（４）であって、各テンプル（４）が前記フレーム前部（３）に固定されており、それぞれのテンプル先端部（４２）を有する、一対のテンプル（４）と、
請求項１〜１０のいずれか一項に記載の眼鏡（２）用の伸長部（１）キットであって、各テンプル先端部（４２）が、それぞれの伸長部（１）の前記第１の構成部分（５３）に固定される、眼鏡（２）用の伸長部（１）キットと、を具備することを特徴とする眼鏡（２）。
【請求項１２】
該テンプル先端部（４２）間の距離が、前記それぞれの伸長部（１）の前記第２の構成部分（５４）間の距離よりも大きい、ことを特徴とする請求項１１に記載の眼鏡（２）。
【請求項１３】
各第２の構成部分（５４）が、前記２つのテンプル（４）により特定される平面上において測定される際に、１１０度〜１６０度の範囲の角度（Ｂ）で前記それぞれの第１の構成部分（５３）に対して傾斜する、ことを特徴とする請求項１１又は１２に記載の眼鏡（２）。
【請求項１４】
各テンプル先端部（４２）は、実質的に平坦な端部分（４３）を有しており、
前記各伸長部（１）の該開口（５６）は、該端部分（４３）を保持し且つ前記それぞれのテンプル先端部（４２）に対する前記伸長部（１）の回転を防止するために、楕円形状を有する、ことを特徴とする請求項１１〜１３のいずれか一項に記載の眼鏡（２）。
【考案の詳細な説明】
【技術分野】
【０００１】
本考案は、それ自体を、眼鏡の分野において展開する。本考案は、眼鏡、サングラス又は任意の別のタイプのものに適用可能である。特には、本考案は、眼鏡及び伸張部が適用される、眼鏡に適用可能な伸張部キットに関する。
【背景技術】
【０００２】
既知の眼鏡は、フレーム前部と、フレーム前部に固定されていて且つ使用者の耳の上を通り更に耳の上に戴置されるように構成される、２つのテンプル（眼鏡のつる）と、を具備する。前部は、使用者が彼の視界を改善するように見ることができる、２つのレンズ又は丁度１つのレンズを具備する。前部フレームはまた、使用者の鼻に寄り掛かるように構成された、ノーズ・ブリッジを具備する。
【０００３】
テンプルは、ノーズブリッジと共に、使用者がレンズを介して見るように眼鏡を使用する時に、眼鏡が使用者の顔において所定の位置に留められることを可能にする。特には、各テンプルは、前部フレームに対して遠位端部においてテンプル先端部を示す。
【０００４】
幾つかの状況において、使用者には、眼鏡を着用することの及び目から眼鏡を取り外すことの必要性が頻繁に生じる。このことは、使用者が近くの及び遠くの物体を二者択一的に観察しなければならない場合に眼鏡を使用する間に、及びもし光の急激な変化がある場合に、例えばトンネルの存在における運転中に、サングラスの使用において特に発生する。
【０００５】
快適な使用のためには、使用者がレンズを介して見ない時に、眼鏡を取り外す必要はないが、しかし異なる位置において使用者が簡単に着用可能であることが望ましい。既知の解決案は、テンプルを接続していて且つ眼鏡を首の周りに着用することを可能にする、鎖を使用することにより与えられる。眼鏡のテンプルは、鎖の特別なボタン穴に挿入される。
【０００６】
しかしながら、同じ鎖は、使用者の顔つきに応じて、過度に長くなるか又は過度に短くなりうる。鎖が長過ぎることで、眼鏡が外部の物体に当たる危険性を伴って使用者が動いた時に、使用者の首において眼鏡の大きな振動を発生させうる。
【０００７】
更に、眼鏡用鎖は、容易に絡まって眼鏡を押して、使用者の首に不快感を与えうる。
【考案の概要】
【考案が解決しようとする課題】
【０００８】
本考案の目的は、特には、首の周りに着用する間における眼鏡の動き、及び従って衝突の危険性を制限することにより、上記の問題を解決することである。
【０００９】
本考案の別の目的は、眼鏡を首の周りに着用することを可能にし、それにより眼鏡が外部物体に絡みつく危険性を回避することである。
【課題を解決するための手段】
【００１０】
この目的及び別の目的は、以下に記載される請求項のいずれかに記載の眼鏡の伸張部キットにより達成される。
【００１１】
使用形態において、各ソック（靴下状部）の第２の構成部分は、眼鏡を支持する首の後ろに置くことができることが有利である。従って、眼鏡は、首から過度に垂れ下がらず、可動性が低下する。更に、眼鏡は、絡み合ってもよい要素の存在なしで、首において支持可能である。
【００１２】
本考案による眼鏡用の伸張部キットの別の特性及び利点は、添付の図面を参照して示されるがこれに限定されるものではない、実施の形態の好適な例の以下の説明から明らかになるであろう。
【図面の簡単な説明】
【００１３】
【図１】図１は、本考案による眼鏡用の伸張部用のキットの斜視図を示す。
【図２】図２は、図１のキットの詳細の斜視図を示す。
【図３】図３は、図２の詳細の横断面図を示す。
【図４】図４は、異なる寸法を有する、眼鏡のそれぞれのテンプル先端部と組み合わされた、図２の詳細の横断面図を示す。
【図５】図５は、異なる寸法を有する、眼鏡のそれぞれのテンプル先端部と組み合わされた、図２の詳細の横断面図を示す。
【考案を実施するための形態】
【００１４】
添付図を参照すると、１は、眼鏡の伸張部を全体的に示す。以下に更により良好に説明される、１の伸張部は、眼鏡２に適用可能である。
【００１５】
眼鏡２は、前端部３と、一対のテンプル（眼鏡のつる）４と、を具備する。前端部３は、一体型レンズを有する、眼鏡の場合のような少なくとも１つのレンズ３１、又はより多くのレンズ３１、好適には２つを具備する。前端部はまた、レンズ３１を所定の位置に保持するための１つ以上のリム３２と、リムを接続するブリッジ３３と、使用者の鼻に寄り掛かるように構成された、２つのノーズパッド３４と、テンプル４に接続するように構成された、２つの端部片３５と、を具備してもよい。これらの構成は、分野の専門家により知られているので、従って、以下ではこれ以上説明されない。
【００１６】
テンプル４はお互いに対称である。各テンプル４は、例えば端部片３５の１つにより、フレーム前部３に固定される。各テンプル４は、フレーム前部３にヒンジ止めされることが好ましい。更に、テンプル４は、テンプル４がフレーム前部３に並ぶ、１つの閉位置と、テンプルが実質的に平行であって且つ長手方向Ｘにおいて２つのテンプル４の間で離間する、開位置と、の間において切り替えられてもよいことが好ましい。
【００１７】
特には、各テンプル４は、シャフト４１と、テンプル先端部４２と、を具備する。テンプル先端部は、フレーム前部３に対して遠位の位置にある。開位置において、テンプル４及び特にシャフト４１は、テンプル４の平面を特定する。
【００１８】
テンプル先端部は、異なる形状と寸法とを有することができる。テンプル先端部４２は一般的に、テンプル４の端部分により画定される。シャフト４１が金属製である場合において、テンプル先端部は、使用者の頭部との接触を改善するように、プラスチック被覆（図示せず）を具備してもよい。
【００１９】
テンプル先端部４２は、それぞれのテンプル４のシャフト４１に対して傾斜していてもよく、更に開位置において、テンプル先端部４２は、テンプル４のシャフト４１により特定される、平面を越えて突き出る。各テンプル先端部４２は、使用者の耳に適合させるために、それぞれのテンプル４のシャフト４１と鈍角を形成することが好ましい。
【００２０】
各テンプル先端部４２は、端部構成部分４３を示す。端部構成部分４３又は可能であればテンプル先端部４２の全体は、１つの支配的展開方向Ｙに沿って主に延びる。テンプル４のテンプル先端部４２が、 ２つの異なるそれぞれの支配的展開方向Ｙにおいて延びることを留意されたい。
【００２１】
記載された実施の形態によれば、テンプル先端部４２は、実質的に平坦な端部分を示す。言い換えれば、端部分４３は、第１の断面方向Ｗ及び第２の断面方向Ｚの間において直交していて且つ支配的展開方向Ｙに対して直交する、第１の断面方向Ｗ及び第２の断面方向Ｚを特定する、横断面を示す。特には、端部分４３の横断面は、第１の断面方向Ｗにおける同様な範囲に対して、より短い範囲、即ち無視可能な範囲にわたって、第２の断面方向Ｚにおいて伸張する。一般的に、第２の断面方向Ｚは、端部分４３が、使用者に滑らかな表面を示すように、使用者の頭部に面する。
【００２２】
３つの異なる好適な標準タイプによれば、テンプル先端部は、異なる断面寸法を示しており、特に第１の断面方向Ｗにおいて、異なる断面寸法は、それぞれ３ｍｍ、５ｍｍ及び１３ｍｍに等しい。
【００２３】
本考案の一形態によれば、図１に示すように、２つの伸長部１が眼鏡２に共同で適用可能である。２つの伸長部は同じ特性を示し、対称である。換言すれば、伸長部１のいずれかの形状は、平面に対する対称性により、もう一方の伸長部１の形状から求めることができる。
【００２４】
２つの伸張部は、それらの間において異なり且つ分離する要素である。単一の伸長部１又は眼鏡の単一の対称部分について示される特性は、伸長部の両方に対して又は眼鏡２の対応する対称部分の両方に対して適用可能であることを意味する。
【００２５】
各伸長部１は、本体５を示す。一実施の形態によれば、本体５は、エラストマー（弾性）材料により製作される。本体５は、例えば液体シリコーンゴム成形により得られた、シリコーンゴムにより製作されることがより好ましい。この材料は、中でも、柔軟性と、剛性及び高温に対する耐性と、紫外線及び老化に対する耐性と、等の異なる好ましい特性を示す。該材料は、４００％〜７００％の範囲の伸強度と、３０〜７０の範囲のＡ型のショアーによる強度と、５Ｎ／ｍｍ2〜１２Ｎ／ｍｍ2の範囲の、好適には９Ｎ／ｍｍ2〜１１Ｎ／ｍｍ2の範囲の破断荷重と、を有することができることが有利である。
【００２６】
本体５自体は、第１の端部５１と第２の端部５２との間において伸張する。本体５は、第１の構成部分５３と第２の構成部分５４とを有する。特には、第１の端部５１は、第１の構成部分５３上に位置し、第２の端部５２は、第２の構成部分５４上に位置する。
【００２７】
各伸長部１は、眼鏡２のそれぞれのテンプル先端部４２に固定されるように構成される。特に、第１の構成部分５３は、テンプル先端部４２に固定可能である。
【００２８】
説明の残りの部分において、特に明記されない限り、眼鏡２及び伸張部１の相互の位置は、２つの伸張部１がそれぞれのテンプル先端部４２に固定される（常にテンプルが開位置にある状態）状態により意味される。特には、第１の断面方向Ｗ及び第２の断面方向Ｚに対する、支配的展開方向Ｙに関する参照は、２つの伸長部１がそれぞれのテンプル先端部４２に固定される、位置に対して参照される。
【００２９】
第１の構成部分５３は特には、該支配的展開方向Ｙにおいて伸張する。第１の構成部分５３は、テンプル先端部４２を可逆的に受容するように適合された、空洞５５を有することが好ましい。特には、空洞５５は、支配的展開方向に沿ってテンプル先端部４２を受容する。
【００３０】
本体５は、それぞれのテンプル先端部４２を空洞５５内に挿入することを可能にするために、それぞれのテンプル先端部４２により通過されるように適合された、第１部５１において開口５６を有する。空洞５５は、開口５６に対向する、底部５７を有する。
【００３１】
開口５６は、テンプル先端部４２に対する伸長部１の回転を避けるように、テンプル先端部４２、特には端部分４３を保持するように実質的に楕円形状を示すことが好ましい。特には、開口５６は、テンプル先端部４２の端部分４３に関して既に説明したものと同様に、第２の断面方向Ｚにおけるその寸法に比較して、第１の断面方向Ｗにおいてより大きな寸法を有する。
【００３２】
テンプル先端部４２が開口５６を介して空洞５５内に挿入される時に、伸張部１の向きが固定されることが有利である。開口５６及び／又は空洞５５は、空洞５５内においてテンプル先端部４２を挿入し且つ保持することを可能にするように弾性的に変形可能であることが好ましい。
【００３３】
有利には、使用者がテンプル先端部４２を空洞から取り外すように幾らかの力を作用させることが必要であり、このことは、テンプル先端部が使用中に偶発的に外れる危険性を防止する。
【００３４】
記載された実施の形態によれば、空洞５５は、第１の部分５８を有する。開口は、第１の部分５８の断面寸法に比べて小さい寸法を有する。特には、開口５６は、３ｍｍに等しい、第１の断面方向Ｗにおいて特に測定される、断面寸法を有する。空洞５５の第１の部分５８は、５ｍｍに等しい、第１の断面方向Ｗにおいて特に測定される、断面寸法を有する。
【００３５】
変形可能であって且つ開口５６より大きい断面寸法を有する、テンプル先端部４２は、開口を通して挿入されて、空洞５６の第１の部分５８に嵌め込まれてもよいことが有利である。特には、５ｍｍの断面寸法を有するテンプル先端部４２は、空洞５５を変形させないで、第１の部分５８内に嵌め込まれてもよい。その一方で、図４に示すように、１３ｍｍの断面寸法を有するテンプル先端部４２は、空洞５５の変形を伴い、第１の部分５８内に嵌め込まれてもよい。
【００３６】
空洞５５はまた、空洞５５の端部５７に位置する、第２の部分５９を有することが好ましい。言い換えれば、空洞５５の第１の部分５８は、開口５６と空洞５５の第２の部分５９との間に位置する。開口５６は、第２の部分５９の断面寸法と比較すると、等しい寸法を有する。図５に示すように、例えば３ｍｍに等しい、開口５５の寸法より小さいか又は等しい断面寸法を有する、テンプル先端部４２は、空洞５５内の自由な動きを避けるように、空洞５５の第２の部分５９内に嵌合してもよいことが有利である。
【００３７】
伸長部１は、テンプル先端部４２を空洞５５内に挿入する間に空気が空洞５５から出ることを可能にする、穴１１を有することが好ましい。空洞５５は、テンプル先端部４２の挿入に対して低い機械的抵抗を示すことが有利である。
【００３８】
第２の構成部分５４は、第１の構成部分５３に対して傾斜する。第２の構成部分５４は、支配的展開方向Ｔに沿って延びる。特には、第２の構成部分５４は、２つのそれぞれの支配的展開方向Ｔの間において分離される、支配的展開方向Ｔの２つのそれぞれの方向に沿って延びる。詳細には、第２の構成部分５４は各々、２ｃｍから８ｃｍの範囲、好適には３ｃｍに等しい範囲の伸張部を有する。
【００３９】
第１の構成部分５３が各々、それぞれのテンプル先端部４２に接続される場合に、第２の構成部分５４は、それぞれのテンプル先端部４２から突き出る。更に、その状態において、第２の構成部分５４の支配的展開方向Ｔは、図１の例に示されるように、第２の構成部分５４が使用者の首に寄り掛かるために、第２の構成部分５４自体の間において収束している。
【００４０】
特には、テンプル先端部４２間の距離は、それぞれの伸張部１の第２の構成部分５４の間の距離を超える。これらの距離は、テンプル４が開位置にあり更にテンプル先端部４２がそれぞれの伸長部１の第１の構成部分５３に接続される状態で、長手方向Ｘにおいて及び特にテンプル４の平面において測定されたものを意味する。
【００４１】
やはりこの構成において、各第２の構成部分５４は、２つのシャフト４、即ちテンプルのシャフト４１により特定される、平面上で測定される１１０度〜１６０度の範囲の角度Ｂのそれぞれの第１の構成部分５３に対して傾斜する。該角度Ｂは特に、その平面上における第１の構成部分５３及びそれぞれの第２の構成部分５４の投影により特定される。言い換えれば、角度Ｂは、第２の構成部分５４の支配的展開方向Ｔ及びそれぞれのテンプル先端部４２の支配的展開方向のシャフト４の平面上における投影により特定される。
【００４２】
有利には、伸長部１がない場合において、使用者の首は、眼鏡２のテンプル先端部４２の間に含まれる空間を容易に通過してもよいが、伸長部１の存在において、首が伸張部１を通過するのに十分な空間は存在せず、眼鏡は首から落下しない。
【００４３】
テンプル先端部４２に対する、即ち第１の構成部分５３に対する、第２の構成部分５４の上記の向きを確保するために、各第２の構成部分５４の支配的展開方向Ｔが、それぞれのテンプル先端部４２の、即ちそれぞれの第１の構成部分５３の、第１の断面方向Ｗに対して実質的に直交する、平面上にあることは留意されるべきである。
【００４４】
上述したように、これによりテンプル先端部４２に対する伸張部１の回転が回避されることが有利である。結果として、第２の構成部分５４の向きは固定される。特には、使用者が首の周りに眼鏡を着用する時に、もし図示されない本考案の実施の形態において、第２の構成部分５４自体がやはり、下方に、即ち使用者の肩の後ろに部分的に展開されてもよい場合でさえも、その向きは、少なくとも部分的に首の後ろ方向に向く。
【００４５】
本考案による伸張部１のキットは、先ず、各伸張部１をそれぞれのテンプル先端部４２に固定することにより、眼鏡２と共に使用されてもよい。具体的には、固定は、テンプル先端部４２の端部分４３を開口５６を介して空洞５５内に挿入することにより実施される。挿入時において、伸張部１は、テンプル先端部４２の端部分４３のその実質的に平坦な形状及び開口５６の楕円形状のおかげで、テンプル先端部４２に向って配向される。
【００４６】
その後、使用者は、伸張部１が顔の上にあり、テンプル先端部４２が耳に寄り掛かる状態で眼鏡２を着用可能であるか、又は伸張部１の第２の構成部分５４が首の後ろに寄り掛かる状態で、眼鏡２を首の周りに着用可能である。
【図１】
0003213936.tif 000003
【図２】
0003213936.tif 000004
【図３】
0003213936.tif 000005
【図４】
0003213936.tif 000006
【図５】
0003213936.tif 000007
【手続補正書】
【提出日】平成29年10月11日(2017.10.11)
【手続補正１】
【補正対象書類名】実用新案登録請求の範囲
【補正対象項目名】全文
【補正方法】変更
【補正の内容】
【実用新案登録請求の範囲】
【請求項１】
一対の伸長部（１）を具備する、眼鏡（２）用の伸長部（１）キットであって、
各伸長部が、眼鏡（２）のそれぞれのテンプル先端部（４２）に固定されるように構成されており、各伸張部（１）が、
眼鏡（２）のそれぞれのテンプル先端部（４２）に固定されるように適合された、第１の構成部分（５３）と、
前記第１の構成部分（５３）に対して傾斜し且つそれぞれの支配的展開方向（Ｔ）に沿って延びる、第２の構成部分（５４）と、を有する、本体（５）を具備する、眼鏡（２）用の伸長部（１）キットにおいて、
該第１の構成部分（５３）各々が、前記それぞれのテンプル先端部（４２）に接続する場合に、該第２の構成部分（５４）は、前記それぞれのテンプル先端部（４２）から突き出ており、更に該第２の構成部分（５４）の該支配的展開方向（Ｔ）は、前記第２の構成部分（５４）が使用者の首に寄り掛かることができるように収束する、ことを特徴とする眼鏡（２）用の伸長部（１）キット。
【請求項２】
各伸張部（１）の前記第１の構成部分（５３）が、前記それぞれのテンプル先端部（４２）を可逆的に受容するように構成された、空洞（５５）を有する、ことを特徴とする請求項１に記載の眼鏡（２）用の伸長部（１）キット。
【請求項３】
各伸張部（１）は、前記それぞれのテンプル先端部（４２）の挿入の間に、空気が前記空洞（５５）を出ることを可能にするための穴（１１）を有する、ことを特徴とする請求項２に記載の眼鏡（２）用の伸長部（１）キット。
【請求項４】
各伸張部（１）の前記本体（５）は、第１の端部（５１）と第２の端部（５２）との間において延びており、更に前記それぞれのテンプル先端部（４２）を前記空洞（５５）内に挿入することを可能にするために前記それぞれのテンプル先端部（４２）により通過させられるように適合された、前記第１の端部（５１）における開口（５６）を有する、ことを特徴とする請求項２又は３に記載の眼鏡（２）用の伸長部（１）キット。
【請求項５】
該開口（５６）及び／又は該空洞（５５）は、前記それぞれのテンプル先端部（４２）を前記空洞（５５）内に挿入し且つ保持することを可能にするために、弾性的に変形可能である、ことを特徴とする請求項４に記載の眼鏡（２）用の伸長部（１）キット。
【請求項６】
各伸張部（１）の前記開口（５６）は、楕円形状を有する、ことを特徴とする請求項４又は５に記載の眼鏡（２）用の伸長部（１）キット。
【請求項７】
各伸張部（１）の前記開口（５６）の寸法は、前記空洞（５５）の第１の部分（５８）の横断面寸法よりも小さい、ことを特徴とする請求項４〜６のいずれか一項に記載の眼鏡（２）用の伸長部（１）キット。
【請求項８】
各空洞（５５）は、前記開口（５６）に対向する底部（５７）と、該底部（５７）上に設置された、第２の部分（５９）と、を有しており、
各開口（５６）の寸法は、前記空洞（５５）の前記第２の部分（５９）の横断面寸法に等しい、ことを特徴とする請求項７に記載の眼鏡（２）用の伸長部（１）キット。
【請求項９】
各伸張部（１）の前記本体（５）は、エラストマー材料により製作される、ことを特徴とする請求項１〜８のいずれか一項に記載の眼鏡（２）用の伸長部（１）キット。
【請求項１０】
各第２の構成部分（５４）は、２ｃｍ〜８ｃｍの間の範囲を有する、ことを特徴とする請求項１〜９のいずれか一項に記載の眼鏡（２）用の伸長部（１）キット。
【請求項１１】
眼鏡（２）であって、
フレーム前部（３）と、
一対のテンプル（４）であって、各テンプル（４）が前記フレーム前部（３）に固定されており、それぞれのテンプル先端部（４２）を有する、一対のテンプル（４）と、
請求項４〜８のいずれか一項に記載の眼鏡（２）用の伸長部（１）キットであって、各テンプル先端部（４２）が、それぞれの伸長部（１）の前記第１の構成部分（５３）に固定される、眼鏡（２）用の伸長部（１）キットと、を具備することを特徴とする眼鏡（２）。
【請求項１２】
該テンプル先端部（４２）間の距離が、前記それぞれの伸長部（１）の前記第２の構成部分（５４）間の距離よりも大きい、ことを特徴とする請求項１１に記載の眼鏡（２）。
【請求項１３】
各第２の構成部分（５４）が、前記２つのテンプル（４）により特定される平面上において測定される際に、１１０度〜１６０度の範囲の角度（Ｂ）で前記それぞれの第１の構成部分（５３）に対して傾斜する、ことを特徴とする請求項１１又は１２に記載の眼鏡（２）。
【請求項１４】
各テンプル先端部（４２）は、実質的に平坦な端部分（４３）を有しており、
前記各伸長部（１）の該開口（５６）は、該端部分（４３）を保持し且つ前記それぞれのテンプル先端部（４２）に対する前記伸長部（１）の回転を防止するために、楕円形状を有する、ことを特徴とする請求項１１〜１３のいずれか一項に記載の眼鏡（２）。